(57)【要約】【課題】ケーブルの外周と端面板との間のシール部からのガス漏洩を含むクロージャのガス漏洩をクロージャを解体すること無く抑止することができ、その抑止効果を長時間持続させる。【解決手段】双方の通信ケーブル端部間に装着され、接続部又は分岐部を囲むと共に双方の通信ケーブル間のガス流通を確保するクロージャ１のガス漏洩補修具１０は、ケーブル端部の外周面と端面板３との間のシール部を外側から覆うと共にケーブル端部の外周面を囲んで装着されるＣ割状の弾性封止部材２０と、弾性封止部材２０の拡径変形を規制して弾性封止部材２０をシール部側に押圧する押圧具３０とを備え、弾性封止部材２０を押圧具３０で押圧変形させることによって、シール部を覆う弾性封止部材２０をケーブル端部の外周面に密着させる。【選択図】図４
2016063654.tif 000002
【特許請求の範囲】
【請求項１】
接続又は分岐対象となる双方の通信ケーブル端部間に装着され、接続部又は分岐部を囲むと共に双方の通信ケーブル間のガス流通を確保するクロージャのガス漏洩補修具であって、
ケーブル端部の外周面と前記クロージャの端面板との間のシール部を外側から覆うと共に前記ケーブル端部の外周面を囲んで装着されるＣ割状の弾性封止部材と、
前記弾性封止部材の拡径変形を規制して前記弾性封止部材を前記シール部側に押圧する押圧具とを備え、
前記弾性封止部材を前記押圧具で押圧変形させることによって、前記シール部を覆う前記弾性封止部材を前記ケーブル端部の外周面に密着させることを特徴とする通信ケーブル用クロージャのガス漏洩補修具。
【請求項２】
前記弾性封止部材は、前記端面板に設けられるケーブル端部挿通口の内部に装着され、前記ケーブル端部挿通口の内面で前記弾性封止部材の拡径変形を規制することを特徴とする請求項１記載の通信ケーブル用クロージャのガス漏洩補修具。
【請求項３】
前記押圧具は、前記クロージャの外周面に固定される固定リングと、前記弾性封止部材を押す押し具と、前記固定リング側に前記押し具を引き寄せる引き寄せ具とを備えることを特徴とする請求項１又は２に記載の通信ケーブル用クロージャのガス漏洩補修具。
【請求項４】
接続又は分岐対象となる双方の通信ケーブル端部間に装着され、接続部又は分岐部を囲むと共に双方の通信ケーブル間のガス流通を確保するクロージャのガス漏洩補修工法であって、
ケーブル端部の外周面と前記クロージャの端面板との間のシール部を外側から覆うと共に前記ケーブル端部の外周面を囲むＣ割状の弾性封止部材を装着し、
前記弾性封止部材の拡径変形を規制して前記弾性封止部材を前記シール部側に押圧して前記弾性封止部材を押圧変形させることで、前記シール部を覆う前記弾性封止部材を前記ケーブル端部の外周面に密着させることを特徴とする通信ケーブル用クロージャのガス漏洩補修工法。
【発明の詳細な説明】
【技術分野】
【０００１】
本発明は、通信ケーブル用クロージャのガス漏洩補修具及びにそれを用いたガス漏洩補修工法に関するものである。
【背景技術】
【０００２】
通信ケーブルは、ケーブル内部への浸水防止策としてケーブル内部に連続的に乾燥空気などのガスを封入しており、ケーブルが傷ついた場合にもそこからガスを吹き出させることで水の浸入を防いでいる。また、ケーブル内を流れるガスの圧力変化を検出することによってガスの漏洩箇所を遠隔監視しており、これによって通信ケーブルを遠隔的に保守管理している。
【０００３】
このような通信ケーブルは、ケーブル端が開放されてしまう接続部や分岐部においても連続的なガスの流れを維持できるように、接続又は分岐される双方のケーブル端部を全て気密に囲い込む枠体が設けられている。この枠体にはクロージャと呼ばれるものがあり、クロージャ内にケーブル端を開放させることで、互いに接続又は分岐される双方のケーブル間でのガスの流通を確保している。
【０００４】
クロージャは、半割状の端面板でケーブル端部を気密に挟み込み、対面する一対の端面板の外周に半割状のスリーブを気密に取り付けて円筒状の枠体を構成している。このクロージャは、振動の付加や経年劣化によって内部の気密性が維持できない場合が生じており、その補修作業が必要になっている。その際、クロージャを解体してシール材などを交換する作業を行おうとすると、ケーブル内の内圧を所定の値に維持したままの作業が困難であり、また、通信線の接続箇所や分岐箇所に悪影響を及ぼさない作業が必要になるため、多大な労力を要する作業にならざるを得ない。
【０００５】
そこで従来から、クロージャを解体すること無くガスの漏洩箇所を封止する補修工法が提案されている。例えば下記特許文献１においては、クロージャの端面板の外側をケーブルの外周と共に樹脂で覆うことで、ケーブルの外周面と端面板との間のシール部から漏れるガスを封止する補修工法が提案されている。
【先行技術文献】
【特許文献】
【０００６】
【特許文献１】特開平５−１４６０２６号公報
【発明の概要】
【発明が解決しようとする課題】
【０００７】
前述した従来技術によると、クロージャを解体すること無く、比較的簡易な作業でケーブルの外周面とそれを挟み込む端面板との間の気密性を回復させることが可能になる。しかしながら、一般にケーブルの外皮はポリエチレン製であるため、これとの間で高い密着性を長時間維持できる樹脂材料の選択が難しく、補修によって一時的にガス漏洩を抑止することができても、時間経過と共に再びガス漏洩が発生してしまう不具合があり、繰り返しの補修作業に時間とコストがかかる問題があった。
【０００８】
本発明は、このような問題に対処することを課題の一例とするものである。すなわち、ケーブルの外周と端面板との間のシール部からのガス漏洩を含むクロージャのガス漏洩をクロージャを解体すること無く抑止することができ、その抑止効果を長時間持続させることができること、等が本発明の目的である。
【課題を解決するための手段】
【０００９】
このような目的を達成するために、本発明による通信ケーブル用クロージャのガス漏洩補修具及びガス漏洩補修工法は以下の構成を具備するものである。
【００１０】
接続又は分岐対象となる双方の通信ケーブル端部間に装着され、接続部又は分岐部を囲むと共に双方の通信ケーブル間のガス流通を確保するクロージャのガス漏洩補修具であって、ケーブル端部の外周面と前記クロージャの端面板との間のシール部を外側から覆うと共に前記ケーブル端部の外周面を囲んで装着されるＣ割状の弾性封止部材と、前記弾性封止部材の拡径変形を規制して前記弾性封止部材を前記シール部側に押圧する押圧具とを備え、前記弾性封止部材を前記押圧具で押圧変形させることによって、前記シール部を覆う前記弾性封止部材を前記ケーブル端部の外周面に密着させることを特徴とする通信ケーブル用クロージャのガス漏洩補修具。
【００１１】
接続又は分岐対象となる双方の通信ケーブル端部間に装着され、接続部又は分岐部を囲むと共に双方の通信ケーブル間のガス流通を確保するクロージャのガス漏洩補修工法であって、ケーブル端部の外周面と前記クロージャの端面板との間のシール部を外側から覆うと共に前記ケーブル端部の外周面を囲むＣ割状の弾性封止部材を装着し、前記弾性封止部材の拡径変形を規制して前記弾性封止部材を前記シール部側に押圧して前記弾性封止部材を押圧変形させることで、前記シール部を覆う前記弾性封止部材を前記ケーブル端部の外周面に密着させることを特徴とする通信ケーブル用クロージャのガス漏洩補修工法。
【発明の効果】
【００１２】
このような特徴を有する本発明の通信ケーブル用クロージャのガス漏洩補修具及びガス漏洩補修工法によると、ケーブルの外周と端面板との間のシール部からのガス漏洩をクロージャを解体すること無く抑止することができ、その抑止効果を長時間持続させることができる。
【図面の簡単な説明】
【００１３】
【図１】一般的なクロージャ（スタンダードクロージャ）の構造を示す説明図（部分断面斜視図）である。
【図２】一般的なクロージャ（スタンダードクロージャ）の構造を示す説明図（端面板の正面図）である。
【図３】一般的なクロージャ（スタンダードクロージャ）の構造を示す説明図（端面板の正面図）である。
【図４】本発明の実施形態に係るガス漏洩補修具を説明する説明図（装着状態を示す部分断面図）である。
【図５】本発明の実施形態に係るガス漏洩補修具を説明する説明図（弾性封止部材の斜視図（ａ）と正面図（ｂ））である。
【図６】本発明の実施形態に係るガス漏洩補修具を説明する説明図（カラーの斜視図（ａ）と正面図（ｂ））である。
【図７】本発明の実施形態に係るガス漏洩補修具を説明する説明図（押しフレームの正面図（ａ）と固定リングの正面図（ｂ））である。
【図８】本発明の実施形態に係るガス漏洩補修具を説明する説明図（押しフレームの正面図（ａ）と固定リングの正面図（ｂ））である。
【発明を実施するための形態】
【００１４】
以下、図面を参照して本発明の実施形態を説明する（以下の説明で、各図内の共通部位は同一符号を付して重複説明を省略する。）。図１〜図３によって、一般的なクロージャ（スタンダードクロージャ）の構造について説明する。図１に示したクロージャ１は、接続対象となる双方の通信ケーブルＬ１，Ｌ２の端部間に装着されており、通信ケーブルＬ１，Ｌ２の通信線を接続する接続部２を囲んだ円筒状の枠体であり、通信ケーブルＬ１，Ｌ２のケーブル端部を挟む半割板３ａ，３ｂからなる端面板３と、端面板３の外周縁に取り付けられる半割スリーブ４ａ，４ｂからなるスリーブ４を備えている。
【００１５】
端面板３は、半割板３ａ，３ｂがガスケット３ｃ２を挟んでフランジ部３ｃにてネジ３ｃ１で接合されており、その中央部に通信ケーブルＬ１，Ｌ２の端部が挿通するケーブル端部挿通口３ｄが形成されている。通信ケーブルＬ１，Ｌ２のケーブル端部には、ケーブル端部挿通口３ｄ内の外周面にエアタイトテープ５が巻かれたシール部が形成されており、エアタイトテープ５の外周面がケーブル端部挿通口３ｄの内面に密着することで、ケーブル端部の外周面と端面板３との間の気密性が保たれている。
【００１６】
端面板３の外周縁と半割スリーブ４ａ，４ｂとの間にはガスケット６が配備され、半割スリーブ４ａ，４ｂの接合部にはスリーブガスケット７が配備されており、これによって、端面板３とスリーブ４との間或いは半割スリーブ４ａ，４ｂとの間の気密性が保たれている。スリーブ４は、半割スリーブ４ａ，４ｂを結合した状態で締め付けベルト８にて強固に締め付けられている。
【００１７】
このようなクロージャ１は、内部に気密空間が形成されており、これによって接続対象となる双方の通信ケーブルＬ１，Ｌ２間のガス流通が確保されている。すなわち、上流側の通信ケーブルＬ１内のガスがクロージャ１内に開放されたケーブル端部からクロージャ１内に流れ込み、クロージャ１内に開放された下流側の通信ケーブルＬ２のケーブル端部内に流入するようになっている。
【００１８】
クロージャ１は、図１に示すように、接続対象となる１本対１本の通信ケーブルＬ１，Ｌ２の端部間に装着されるだけでなく、分岐部を含む１本対多数本の通信ケーブルの端部間或いは多数本対多数本の通信ケーブルの端部間にも接続部又は分岐部を囲むように装着されている。この場合には、一方又は他方の通信ケーブルの数に応じて端面板３が異なる形態になる。図２は、一方の通信ケーブルが１本の場合の端面板３であり、前述したように半割板３ａ，３ｂを接合して、その中心部にケーブル端部挿通口３ｄが形成されている。図３は、一方又は他方の通信ケーブルが多数本の場合の端面板３の形態例であり、図３（ａ）に示した例は、半割板３ａ１，３ｂ１を接合して、２本の通信ケーブルＬ１ａ，Ｌ１ｂがそれぞれ挿通するケーブル端部挿通口３ｄ１，３ｄ２が形成されている。図３（ｂ）に示した例は、分割板３ｓ１，３ｓ２，３ｓ３を接合して、３本の通信ケーブルＬ１ｃ，Ｌ１ｄ，Ｌ１ｅがそれぞれ挿通するケーブル端部挿通口３ｄ３，３ｄ４，３ｄ５が形成されている。各例においても、ケーブル端部挿通口３ｄ１〜３ｄ５内にはケーブル端部の外周面にエアタイトテープ５を巻いたシール部が形成されている。
【００１９】
このようなクロージャ１は、前述したように振動の付加や経年劣化などによって内部の気密性が維持できない場合があるが、その主要な原因は、ケーブル端部挿通口３ｄ，３ｄ１〜３ｄ５内のシール部におけるガス漏洩、すなわち、ケーブル端部の外周面と端面板３との間のシール部のガス漏洩であることが確認されている。このシール部のガス漏洩はエアタイトテープ５の劣化などが原因になっている。本発明の実施形態は、このシール部におけるガス漏洩を補修する補修具及びその補修具を用いた補修工法を提案するものである。
【００２０】
図４〜図８は、本発明の実施形態に係るガス漏洩補修具を説明する説明図である。図４は、ガス漏洩補修具１０の装着状態を示している。ガス漏洩補修具１０は、弾性封止部材２０と押圧具３０を備えている。弾性封止部材２０は縦方向に押圧されることで横方向に弾性変形するゴム材などで形成されており、この実施形態ではケーブル端部挿通口３ｄ内に装着されている。ケーブル端部挿通口３ｄ内にはケーブル端部に巻かれたエアタイトテープ５によってシール部が形成されており、このシール部を覆うと共にケーブル端部の外周面を囲んで弾性封止部材２０が装着されている。弾性封止部材２０は、ケーブル端部挿通口３ｄの内部に装着されることで、ケーブル端部挿通口３ｄの内面で拡径変形が規制され、エアタイトテープ５に密着している。
【００２１】
押圧具３０は、弾性封止部材２０の拡径変形を規制した状態で弾性封止部材２０をシール部側に押圧するものであり、弾性封止部材２０を直接押すカラー（押し具）３１と、カラー３１を押す押しフレーム（押し具）３２と、クロージャ１の外周面（スリーブ４の外周面）に固定される固定リング３３と、固定リング３３側に押しフレーム３２を引き寄せる引き寄せネジ（引き寄せ具）３４とを備えている。
【００２２】
図５〜図８によって各具の具体例を説明する。図５は、弾性封止部材２０の具体例を示している（（ａ）が斜視図であり、（ｂ）が平面図である。）。図示の例では、弾性封止部材２０はケーブル端部を囲む中空部２０ａを有する円柱状のゴム部材であって、ケーブル端部の周囲に配置できるようにＣ割状になっている。
【００２３】
図６は、押圧具３０の一つであるカラー（押し具）３１を示している（（ａ）が斜視図であり、（ｂ）が平面図である。）。カラー３１は、半割体３１Ａ，３１Ｂからなる金属部材であって、内面側にケーブル端部を囲む凹部３１Ａ１，３１Ｂ１が形成されており、外周面側には押しフレーム３２が当接する段部３１Ａ２，３１Ｂ２が形成されている。
【００２４】
図７は、押圧具３０の一つである押しフレーム（押し具）３２と固定リング３３の具体例を示しており、（ａ）に押しフレーム３２の例を示し、（ｂ）にそれに対応する固定リング３３の例を示している。押しフレーム３２は、分割体３２Ａ，３２Ｂを結合ネジ３２ｔで結合したものであり、その中央部にカラー３１の段部３１Ａ２，３１Ｂ２に当接する当接部３２ｐを備え、その両端部に引き寄せネジ３４を挿通するネジ挿通部３２ｓを備えている。固定リング３３は、半割リング３３Ａ，３３Ｂを結合ネジ３３ｔで結合したものであり、その周囲に引き寄せネジ３４を挿通するネジ挿通部３３ｓを備えている。
【００２５】
図８は、押圧具３０の一つである押しフレーム（押し具）３２と固定リング３３の他の具体例を示しており、（ａ）に押しフレーム３２の他の例を示し、（ｂ）にそれに対応する固定リング３３の例を示している。ここに示す例は、端面板３が３つのケーブル端部挿通口を備える場合（図３（ｂ）参照）の例であり、この押しフレーム３２は、両端部にてネジ挿通部３２ｓを形成する分割体３２Ｃ，３２Ｄが結合ネジ３２ｔで結合されており、一端部にてネジ挿通部３２ｓを形成すると共に他端部が分割体３２Ｃ，３２Ｄに係合する分割体３２Ｅ，３２Ｆが結合ネジ３２ｔで結合されている。この押しフレーム３２は、複数のケーブル端部挿通口にそれぞれ配置される複数のカラー３１を押圧するものであり、分割体３２Ｃ，３２Ｄで２つのカラー３１を押圧し、分割体３２Ｅ，３２Ｆで他の一つのカラーを押圧する。図８（ｂ）に示す固定リング３３は、半割リング３３Ｃ，３３Ｄを結合ネジ３３ｔで結合したものであり、その周囲に引き寄せネジ３４を挿通する３つのネジ挿通部３３ｓを備えている。
【００２６】
このようなガス漏洩補修具１０は、押しフレーム３２のネジ挿通部３２ｓと固定リング３３のネジ挿通部３３ｓとの間に挿通される複数の引き寄せネジ３４（ボルト・ナット）を締め付けることによって、押しフレーム３２をクロージャ１に固定された固定リング３３側に移動させ、押しフレーム３２がカラー３１を押し、カラー３１が弾性封止部材２０を押すことで、ケーブル端部挿通口３ｄ内に配備された弾性封止部材２０を押圧変形させる。この際、弾性封止部材２０は、ケーブル端部挿通口３ｄの内面で拡径変形が規制されているのでケーブル端部の外周面に向けて効果的に変形することになり、ケーブル端部挿通口３ｄ内のシール部を覆う弾性封止部材２０の内側がケーブル端部の外周面に密着し、また、弾性封止部材２０自体がシール部のエアタイトテープ５に密着することになり、また弾性封止部材２０の外側がケーブル端部挿通口３ｄの内面に密着することになる。これによって、劣化したエアタイトテープ５に変わってケーブル端部の外周面と端面板３との間が弾性封止部材２０によってシールされることになり、ケーブル端部の外周面と端面板３との間からのガス漏洩を効果的に抑止することができる。
【００２７】
このようなガス漏洩補修具１０を用いたガス漏洩補修工法によると、ケーブル端部の外周面と端面板３との間のシール部を外側から覆うと共にケーブル端部の外周面を囲むＣ割状の弾性封止部材２０を装着し、弾性封止部材２０の拡径変形を規制して弾性封止部材２０をシール部側に押圧して弾性封止部材２０を押圧変形させることで、シール部を覆う弾性封止部材２０をケーブル端部の外周面に密着させる。これによって、ケーブルの外周と端面板３との間のシール部からのガス漏洩をクロージャ１を解体すること無く抑止することができ、ケーブルの外周面がポリエチレン製などで樹脂などに接着しにくいものであっても、弾性封止部材２０の密着によって効果的にシール部のガス漏洩を抑止することができる。そして、その抑止効果を長時間持続させることができる。
【符号の説明】
【００２８】
１：クロージャ，２：接続部，３：端面板，
３ａ，３ｂ，３ａ１，３ｂ１：半割板，
３ｓ１，３ｓ２，３ｓ３：分割板，
３ｃ１：ネジ，３ｃ２：ガスケット，
３ｄ，３ｄ１〜３ｄ５：ケーブル端部挿通口，
４：スリーブ，４ａ，４ｂ：半割スリーブ，
５：エアタイトテープ，６：ガスケット，７：スリーブガスケット，
８：締め付けベルト，
１０：ガス漏洩補修具，
２０：弾性封止部材，
３０：押圧具，３１：カラー（押し具），３１Ａ，３１Ｂ：半割体，
３１Ａ１，３１Ｂ１：凹部，３１Ａ２，３１Ｂ２：段部，
３２：押しフレーム（押し具），
３２Ａ，３２Ｂ，３２Ｃ，３２Ｄ，３２Ｅ，３２Ｆ：分割体，
３２ｔ：結合ネジ，３２ｐ：当接部，３２ｓ：ネジ挿通部，
３３：固定リング，３３ｔ：結合ネジ，３３ｓ：ネジ挿通部，
３４：引き寄せネジ（引き寄せ具），
Ｌ１，Ｌ２，Ｌ１ａ，Ｌ１ｂ，Ｌ１ｃ，Ｌ１ｄ，Ｌ１ｅ：通信ケーブル
【図１】
2016063654.tif 000003
【図２】
2016063654.tif 000004
【図３】
2016063654.tif 000005
【図４】
2016063654.tif 000006
【図５】
2016063654.tif 000007
【図６】
2016063654.tif 000008
【図７】
2016063654.tif 000009
【図８】
2016063654.tif 000010